【手続補正書】
【提出日】令和2年6月16日(2020.6.16)
【手続補正１】
【補正対象書類名】明細書
【補正対象項目名】０００６
【補正方法】変更
【補正の内容】
【０００６】
上記目的を達成するために、本発明の情報処理装置は、第１のネットワークインタフェースと、前記第１のネットワークインタフェースとは異なる第２のネットワークインタフェースとを有し、前記第１のネットワークインタフェース及び前記第２のネットワークインタフェースの一方が、プライマリネットワークに接続するネットワークインタフェースとして機能し、他方がサブネットワークに接続するネットワークインタフェースとして機能する情報処理装置であって、前記サブネットワークに接続するネットワークインタフェースとして機能しているネットワークインタフェースに割り当てられたＩＰアドレスのネットワーク部を示す第１のネットワークアドレスが、前記プライマリネットワークに接続するネットワークインタフェースとして機能しているネットワークインタフェースに割り当てられたＩＰアドレスのネットワーク部を示す第２のネットワークアドレスと一致するか否かを判定する判定手段と、前記判定手段で前記第１のネットワークアドレスが前記第２のネットワークアドレスと一致すると判定されたことに従って、前記サブネットワークに接続するネットワークインタフェースとして機能しているネットワークインタフェースを無効化する制御手段とを有することを特徴とする。
【手続補正２】
【補正対象書類名】特許請求の範囲
【補正対象項目名】全文
【補正方法】変更
【補正の内容】
【特許請求の範囲】
【請求項１】
第１のネットワークインタフェースと、前記第１のネットワークインタフェースとは異なる第２のネットワークインタフェースとを有し、前記第１のネットワークインタフェース及び前記第２のネットワークインタフェースの一方が、プライマリネットワークに接続するネットワークインタフェースとして機能し、他方がサブネットワークに接続するネットワークインタフェースとして機能する情報処理装置であって、
前記サブネットワークに接続するネットワークインタフェースとして機能しているネットワークインタフェースに割り当てられたＩＰアドレスのネットワーク部を示す第１のネットワークアドレスが、前記プライマリネットワークに接続するネットワークインタフェースとして機能しているネットワークインタフェースに割り当てられたＩＰアドレスのネットワーク部を示す第２のネットワークアドレスと一致するか否かを判定する判定手段と、
前記判定手段で前記第１のネットワークアドレスが前記第２のネットワークアドレスと一致すると判定されたことに従って、前記サブネットワークに接続するネットワークインタフェースとして機能しているネットワークインタフェースを無効化する制御手段とを有することを特徴とする情報処理装置。
【請求項２】
前記第１のネットワークインタフェースは、有線ケーブルを用いた有線ネットワークインタフェースであり、
前記第２のネットワークインタフェースは、外部アクセスポイントが提供する無線ネットワークを介して無線通信を行う無線ネットワークインタフェースであり、
前記サブネットワークに接続するネットワークインタフェースとして機能しているネットワークインタフェースが前記無線ネットワークインタフェースである場合、前記制御手段は、前記判定手段で前記第１のネットワークアドレスが前記第２のネットワークアドレスと一致すると判定されたことに従って、前記外部アクセスポイントとの接続を切断し、前記無線ネットワークインタフェースを無効化することを特徴とする請求項１記載の情報処理装置。
【請求項３】
前記情報処理装置は前記外部アクセスポイントを経由することなく外部装置と無線通信を行う直接無線通信機能を有し、
前記直接無線通信機能で使用されるＩＰアドレスのネットワーク部を示す第３のネットワークアドレスが、前記第１のネットワークアドレス及び前記第２のネットワークアドレスのいずれかと重複する場合、前記直接無線通信機能を用いて外部装置と通信することが可能な状態に前記情報処理装置を遷移させることを禁止する制限手段を更に有することを特徴とする請求項２記載の情報処理装置。
【請求項４】
前記第３のネットワークアドレスが、前記第１のネットワークアドレス及び前記第２のネットワークアドレスのいずれかと重複する場合、前記制限手段は、前記直接無線通信機能の画面を表示するユーザ操作を受け付けた場合であっても、前記直接無線通信機能を有効化するための表示アイテムを含まない画面を表示することで、前記直接無線通信機能が有効な状態に前記情報処理装置を遷移させることを禁止し、
前記第３のネットワークアドレスが、前記第１のネットワークアドレス及び前記第２のネットワークアドレスのいずれとも重複しない場合であって、前記直接無線通信機能の画面を表示する前記ユーザ操作を受け付けた場合、前記表示アイテムを含む画面が表示されることを特徴する請求項３に記載の情報処理装置。
【請求項５】
デフォルトゲートウェイ宛に転送するデータは、前記プライマリネットワークに接続するネットワークインタフェースとして機能しているネットワークインタフェースを介して出力されることを特徴とする請求項１乃至４のいずれか１項に記載の情報処理装置。
【請求項６】
前記プライマリネットワークに接続するネットワークインタフェースとして機能しているネットワークインタフェースに対応する第１の設定画面には、デフォルトゲートウェイを設定するための表示アイテムが表示され、
前記サブネットワークに接続するネットワークインタフェースとして機能するネットワークインタフェースに対応する第２の設定画面には、デフォルトゲートウェイを設定するための表示アイテムが表示されないことを特徴とする請求項５記載の情報処理装置。
【請求項７】
前記サブネットワークに接続するネットワークインタフェースとして機能しているネットワークインタフェースを無効化した後、当該無効化されたネットワークインタフェースは自動的には有効化されず、
当該無効化されたネットワークインタフェースは少なくとも所定のユーザ操作を受け付けた場合に有効状態に変更されることを特徴とする請求項１乃至５のいずれか１項に記載の情報処理装置。
【請求項８】
前記第１のネットワークアドレスが前記第２のネットワークアドレスと一致すると判定された場合に、所定のエラーメッセージをユーザに通知する通知手段を更に有することを特徴とする請求項１乃至７のいずれか１項に記載の情報処理装置。
【請求項９】
前記所定のエラーメッセージは、ネットワークアドレスの重複が発生していることをユーザに通知するメッセージであることを特徴とする請求項８記載の情報処理装置。
【請求項１０】
前記情報処理装置は印刷装置であることを特徴とする請求項１乃至９のいずれか１項に記載の情報処理装置。
【請求項１１】
前記情報処理装置は、読取手段によって原稿を読み取ることで得られた画像データを外部に送信する送信機能を有することを特徴とする請求項１乃至１０のいずれか１項に記載の情報処理装置。
【請求項１２】
第１のネットワークインタフェースと、前記第１のネットワークインタフェースとは異なる第２のネットワークインタフェースとを有し、前記第１のネットワークインタフェース及び前記第２のネットワークインタフェースの一方が、プライマリネットワークに接続するネットワークインタフェースとして機能し、他方がサブネットワークに接続するネットワークインタフェースとして機能する情報処理装置の制御方法であって、
前記サブネットワークに接続するネットワークインタフェースとして機能しているネットワークインタフェースに割り当てられたＩＰアドレスのネットワーク部を示す第１のネットワークアドレスが、前記プライマリネットワークに接続するネットワークインタフェースとして機能しているネットワークインタフェースに割り当てられたＩＰアドレスのネットワーク部を示す第２のネットワークアドレスと一致するか否かを判定する判定工程と、
前記判定工程で前記第１のネットワークアドレスが前記第２のネットワークアドレスと一致すると判定されたことに従って、前記サブネットワークに接続するネットワークインタフェースとして機能しているネットワークインタフェースを無効化する制御工程とを有することを特徴とする情報処理装置の制御方法。
【請求項１３】
第１のネットワークインタフェースと、前記第１のネットワークインタフェースとは異なる第２のネットワークインタフェースとを有し、前記第１のネットワークインタフェース及び前記第２のネットワークインタフェースの一方が、プライマリネットワークに接続するネットワークインタフェースとして機能し、他方がサブネットワークに接続するネットワークインタフェースとして機能する情報処理装置のコンピュータに、
前記サブネットワークに接続するネットワークインタフェースとして機能しているネットワークインタフェースに割り当てられたＩＰアドレスのネットワーク部を示す第１のネットワークアドレスが、前記プライマリネットワークに接続するネットワークインタフェースとして機能しているネットワークインタフェースに割り当てられたＩＰアドレスのネットワーク部を示す第２のネットワークアドレスと一致するか否かを判定する判定工程と、
前記判定工程で前記第１のネットワークアドレスが前記第２のネットワークアドレスと一致すると判定されたことに従って、前記サブネットワークに接続するネットワークインタフェースとして機能しているネットワークインタフェースを無効化する制御工程と、
を実行させるためのプログラム。